(57)【要約】【課題】  カラス等の鳥獣によるゴミの散乱や不法投棄を防止し、しかも、軽量で大事故の発生を防止でき、かつ、壊れづらい出入扉を備えるゴミ保管庫の提供すること。【解決手段】  人の背丈よりも長い３本以上の支柱２ｃと、隣り合う支柱２ｃの上端部に架設する梁材２ｆ，２ｅと、を基本的な骨格として構成される箱形フレーム２ａと、箱形フレーム２ａの前面において、人が立ったまま通れる出入口２ｉと、出入口２ｉを除く箱形フレーム２ａの側面及び天井面の開口を覆う仕切材２ｂと、出入口２ｉを開閉する昇降式のカーテン３と、出入口２ｉの上方にあって、昇降式カーテン３を昇降駆動するための駆動手段１００と、昇降式カーテン３の最下部を出入口２ｉ底部にロックするカーテンロック手段５３，６３と、を備える。【選択図】  図１
2006103925.tif 000002
【特許請求の範囲】
【請求項１】
人の背丈よりも高い３本以上の支柱と、隣り合う前記支柱の上端部に架設する梁材と、を基本的な骨格として構成される箱形フレームと、
前記箱形フレームの前面において、人が立ったまま通れる出入口と、
前記出入口を除く箱形フレームの側面及び天井面の開口を覆う仕切材と、
前記出入口を開閉する昇降式のカーテンと、
前記出入口の上方にあって、前記昇降式カーテンを昇降駆動するための駆動手段と、
前記昇降式カーテンの最下部を前記出入口底部にロックするカーテンロック手段と、
を備えることを特徴とするゴミ保管庫
【請求項２】
前記仕切材が網板材であることを特徴とする請求項１に記載のゴミ保管庫。
【請求項３】
前記昇降式カーテンがゴルフ用ネットであることを特徴とする請求項１または２に記載のゴミ保管庫。
【請求項４】
前記昇降式カーテンの最下部に前記出入口の横幅より長いバーを備え、前記バーが昇降可能に前記出入口に付設され、前記駆動手段により前記バーを昇降させることにより、前記昇降式カーテンを昇降させることを特徴とする請求項１から３のいずれかに記載のゴミ保管庫。
【請求項５】
前記昇降式カーテンの前記最下部バーが保護具を備えることを特徴とする請求項４に記載のゴミ保管庫。
【請求項６】
前記カーテンロック手段が、前記出入口の下部に備わるソレノイドスイッチにより、前記最下部バーをロックすることを特徴とする請求項４に記載のゴミ保管庫。
【請求項７】
前記昇降式カーテンの閉扉する場合に、前記駆動手段の駆動を停止するとともに、前記駆動手段に備わる制動装置を解除し、前記バーを自重により落下させることで、前記昇降式カーテンを降下させることを特徴とする請求項４〜６のいずれかに記載のゴミ保管庫。
【請求項８】
前記昇降式カーテンがゴルフ用ネットであって、前記ゴルフ用ネットが前記バーを最下部以外にも備え、前記ゴルフ用ネットの縦糸に交互に挟み込むことにより、前記バーを挿着していることを特徴とする請求項４〜７のいずれかに記載のゴミ保管庫。
【請求項９】
前記駆動手段が電動で作動し、前記駆動手段を電動で作動させるためのスイッチを前記出入口の近傍に備えること特徴とする請求項１〜８のいずれかに記載のゴミ保管庫。
【請求項１０】
前記駆動手段を電動で作動させるためのスイッチが、ゴミ保管庫内にも備わることを特徴とする請求項９に記載のゴミ保管庫。
【請求項１１】
前記駆動手段を電動で作動させるためのスイッチが、自動復帰型で、押し続けている間に限り、前記駆動手段を作動させることを特徴とする請求項９または１０に記載のゴミ保管庫。
【請求項１２】
前記駆動手段作動時に、ブザーが鳴動することを特徴とする請求項９〜１１のいずれかに記載のゴミ保管庫。
【請求項１３】
前記昇降式カーテンを前記出入口の上昇限界または下降限界で、前記昇降式カーテンの昇降を停止させるための昇降限界停止手段を備えることことを特徴とする請求項１〜１２のいずれかに記載のゴミ保管庫。
【請求項１４】
前記駆動手段と前記カーテンロック手段の作動を週間タイマにより制御するを特徴とする請求項１〜１３のいずれかに記載のゴミ保管庫。
【請求項１５】
前記箱形フレームの上面にソーラパネルを備え、前記ソーラパネルの給電によりゴミ保管庫に備わる駆動系及び制御系の各手段を作動させることを特徴とする請求項１〜１４のいずれかに記載のゴミ保管庫。
【請求項１６】
前記昇降式カーテンを手動で可動することができることを特徴とする請求項１〜１５いずれかに記載のゴミ保管庫。
【請求項１７】
コ字型囲壁を有するゴミ置き場を改修するために設置されることを特徴とする請求項１〜６のいずれかに記載のゴミ保管庫。
【発明の詳細な説明】
【技術分野】
【０００１】
この発明は、ゴミ置き場に設置されるゴミ保管庫に係り、特に、道路に開口するコの字状囲壁を備えるゴミ置き場を改修するに好適なゴミ保管庫に関する。
【背景技術】
【０００２】
近年、集合住宅等のゴミ置き場は、建築コストを低減させる等の理由から間口の大きく開いたオープンタイプが主流になっている。このオープンタイプのゴミ保管庫は、扉などの付いた小屋状のクローズタイプと異なり、ゴミが放置された状態になっており、カラス等の鳥獣に荒らされて周囲に散乱する被害が多発するという課題があった。
【０００３】
このような被害を防ぐため、指定日以外のゴミ出しの禁止や、ゴミ置き場に出したゴミにゴルフなどに用いられるネットを被せる等の処置がなされていた。
【０００４】
しかし、指定日にゴミ出しをしても、ゴミ回収車が来る前に鳥獣によりゴミが荒らさてしまったり、ゴミにゴルフ用ネットを被せても鳥獣がネットを捲り揚げてゴミを散乱してしまう等の被害があった。よって、これらの処置は抜本的な解決策になっていないことがあった。また、これらの処置は、不法投棄の防止には、全く対策となっていなかった。
【０００５】
そこで、カラス等の鳥獣によりゴミが荒らされることを防止し、不法投棄についても有効に防止するごみ集積用囲体が開発されている（例えば、特許文献１、参照。）。
【０００６】
この特許文献１では、図１６、１７に示すように囲体１６１は、囲い本体１６２、出入扉１６３及び天板１６４と、によって箱状体に形成されている。この囲い本体１６２は、住宅地区のごみ集積場所に設置されて各世帯から出されて集積された各種のごみ１７１の全体を囲って、一時保管できる大きさに形成されている。
【０００７】
囲い本体１６２及び出入扉１６３はフェンスネット、ラス網等の網板材で形成されており、天板１６４は金属板材で形成されている。天板１６４の上面には太陽電池１６５が載置されている。
【０００８】
出入扉１６３は囲い本体１６２の出入口１７２に左右方向に摺動可能に取付けられており、取手１６６を把持して開閉される。また、出入扉１６３の側端部には、出入口１７２の左側開口縁に取付けられて上下動する図示しない電磁ロックピンと掛合して出入扉１６３を施錠するコ字状の掛合枠１７３が取付けられている。
【０００９】
そして、電磁ロックピンは出入扉１６３の左側に取付けられた施錠規制ボックス１６７からの信号を受けて電磁ロックがＯＮ、ＯＦＦ動作し、ピンが上下動して出入扉１６３の掛合枠１７３と掛合するようになっている。
【００１０】
更に、施錠規制ボックス１６７には、図示しないが、識別カードの情報を読取る読取回路、施錠解除数を数えてごみ出し回数等を演算する演算回路、ごみ出し回数等を記憶する記憶回路などが組込まれたマイクロコンピュータが内蔵されている。そして、マイクロコンピュータに内蔵された時計機構と予め設定された日付及びごみの種類とによってごみ出し当日に投棄可能なごみの種類を図示しない表示ランプで点灯表示するようになっている。
【００１１】
マイクロコンピュータの駆動に必要とする電源としては交流電源、或いは、囲体１６１の天板１６４上に載置された太陽電池１６５から供給された電流を蓄積するバッテリー電源などが用いられる。
【００１２】
このごみ集積用囲体１６１によれば、集積されたごみの全体が囲い本体１６２によって覆われているため、鳥獣がゴミを散らかす被害を防止することができる。そして、特に、囲い本体１６２の出入扉１６３は平時は施錠されており、投棄許可情報の入力によってのみ施錠を解除し、外側から出入扉１６３を開くことができるので、地区内住民など一定の者だけがごみを投入することができる。このため、地区外者が不法にごみを囲体１６１内に投棄するのを確実に防止することができる。
【００１３】
その結果、地区内住民等がかかるごみの処分のために迷惑を被ったり、不必要なごみ処理量を支払う不具合を解消することができる。また、囲い本体１６２に太陽電池１６５が取付けられているので、交流電源のない場所でも囲体１６１を設置することができる。
【特許文献１】特開平１１−２２２３０１号公報
【発明の開示】
【発明が解決しようとする課題】
【００１４】
しかし、出入扉１６３はフェンスネット、ラス網等の網板材で形成されているため、重量が大きく、開閉には大きな力が必要となる。また、出入扉１６３の開閉時に身体を挟むようなことが起ると、出入扉１６３は重量が大きく剛性に富むため、大事故につながる可能性がある。これらの理由から、出入扉１６３を軽量化する方法が考えられるが、出入扉１６３のような引き戸は、構造的に強度を必要とするため、軽量化した場合には強度が低下し壊れやすくなる。また、天板１６４は金属板材で形成され、天板１６４の上面には太陽電池１６５が載置されているため、出入扉１６３をフェンスネット、ラス網等の網板材で形成することが必須となる。
【００１５】
本発明は、以上のような従来の技術が有する問題を解決するために提案されたものであり、カラス等の鳥獣によるゴミの散乱や不法投棄を防止でき、しかも、出入口扉を軽量で、かつ、丈夫にできるゴミ保管庫の提供を目的とする。また、特に、図１８に示すマンション等の集合住宅にすでに建設されているコ字型囲壁１８１からなるゴミ置き場１８０を容易に改修できるゴミ保管庫の提供を目的とする。
【００１６】
この発明のさらに他の目的並びに作用効果については、明細書の以下の記述を参照することにより、当業者であれば容易に理解されるであろう。
【課題を解決するための手段】
【００１７】
本発明のゴミ保管庫は、人の背丈よりも高い３本以上の支柱と、隣り合う支柱の上端部に架設する梁材と、を基本的な骨格として構成される箱形フレームと、箱形フレームの前面において、人が立ったまま通れる出入口と、出入口を除く箱形フレームの側面及び天井面の開口を覆う仕切材と、出入口を開閉する昇降式のカーテンと、出入口の上方にあって、昇降式カーテンを昇降駆動するための駆動手段と、昇降式カーテンの最下部を出入口底部にロックするカーテンロック手段と、を備えるものである。
【００１８】
このような本発明の構成によれば、基本的な骨格として構成される箱形フレームを、支柱と梁材の簡単な構造にできるため、安価で頑丈なゴミ保管庫を容易に作製することができる。また、既存のゴミ置き場の形状に合わせて支柱を配置することにより箱形フレームを容易に作製することができる。また、ゴミ保管庫内に人が歩ける空間を形成することができ、ゴミ出しやゴミ収集作業を容易にすることができる。なお、支柱の長さの基準となる「人の背丈」とは、例えば、通常、ゴミ収集作業を行う成人男子の平均的な身長をいう。
【００１９】
また、箱形フレームの前面に人が立ったまま通れる出入口を有するので、ゴミ保管庫への出入りが容易にできるので、ゴミ出しやゴミ収集作業を容易に行うことができる。また、出入口を除く箱形フレームの側面及び天井面の開口を覆う仕切材を有するので、出入口以外での出入りを防止することができる。
【００２０】
また、出入口を開閉する扉が昇降式のカーテンなので、軽量かつ丈夫な構造にすることができる。また、出入口の上方にあって昇降式カーテンを昇降駆動するための駆動手段を備えるので、出入口の開閉扉を容易に行うことができる。また、昇降式カーテンの最下部を出入口底部でロックするカーテンロック手段を備え、カーテンロック手段により昇降式カーテンの最下部を出入口底部でロックできるので、カラス等の鳥獣や不法投棄をしようとする者が出入口の昇降式カーテンを捲り揚げてゴミ保管庫内に侵入することを防止することができる。
【００２１】
また、本発明のゴミ保管庫の好ましい実施の一形態においては、仕切材が網板材により構成される。ここで、網板材とは、フェンスネット、ラス網等をいう。このような構成によれば、ゴミ保管庫内の通気がよく、臭気が籠もったり、カビ等の細菌の繁殖を自然に抑えることができる。また、強度に富み簡単に壊れることがない。また、仕切材を鋼板にした場合に比べ、軽量化することができ、ゴミ保管庫の移動を容易にすることができる。
【００２２】
また、本発明のゴミ保管庫の好ましい実施の一形態においては、昇降式カーテンがゴルフ用ネットであるように構成されている。このような構成によれば、昇降式カーテンを、軽量、丈夫かつ安価に作製することができる。
【００２３】
また、本発明のゴミ保管庫の好ましい実施の一形態においては、昇降式カーテンの最下部に出入口の横幅より長いバーを備え、このバーが昇降可能に出入口に付設され、駆動手段によりバーを昇降させることにより、昇降式カーテンを昇降させるように構成されている。このような構成によれば、最下部バーが出入口底部を塞ぐため、出入口を容易に閉扉することができる。また、カーテン昇降にバーが重りになるため、カーテンを張設することができ、カーテンの降下を容易にすることができる。
【００２４】
また、本発明のゴミ保管庫の好ましい実施の一形態においては、昇降式カーテンの最下部バーが保護具を備えるように構成されている。このような構成によれば、出入口を通過している時に最下部バーに頭部をぶつけることがあっても、大事故にならない。また、最下部バーを降下させる時に出入口底部との衝突を防止することができる。また、出入口底部と最下部バーの隙間をなくすことができる。なお、保護具は、帯または短冊状のラバーやゴム等である。
【００２５】
また、本発明のゴミ保管庫の好ましい実施の一形態においては、昇降式カーテンの下部に保護パットを有するように構成されている。このような構成によれば、人がゴミ保管庫内に出入りする時にカーテン下部に頭をぶつけるようなことがあっても、大事故になることを防止することができる。また、カーテンを最降下させてもカーテン下部や出入口の底部を破損することがない。また、カーテン下部と出入口の底部との隙間を塞ぐようにすることもできる。
【００２６】
また、本発明のゴミ保管庫の好ましい実施の一形態においては、カーテンロック手段が、出入口の下部に備わるソレノイドスイッチにより、最下部バーをロックするように構成されている。このような構成によれば、ソレノイドスイッチによりカーテン最下部のバーを出入口下部にロックできるので、ソレノイドスイッチを解除しないかぎり、出入口を開扉することができない。よって、カラス等の鳥獣や不法投棄をしようとする者の侵入を確実に防止することができる。また、カーテンロック手段のロックおよび解除の電動化を容易にすることができる。
【００２７】
また、本発明のゴミ保管庫の好ましい実施の一形態においては、昇降式カーテンの閉扉する場合に、駆動手段の駆動を停止するとともに、駆動手段に備わる制動装置を解除し、バーを自重により落下させることで、昇降式カーテンを降下させるように構成されている。このような構成によれば、昇降式カーテン閉扉時に駆動手段を駆動させる必要がないので、省エネルギー化によりバッテリの消耗を軽減できる。
【００２８】
また、本発明のゴミ保管庫の好ましい実施の一形態においては、昇降式カーテンがゴルフ用ネットであって、ゴルフ用ネットがバーを最下部以外にも備え、ゴルフ用ネットの縦糸に交互に挟み込むことにより、バーを挿着しているように構成されている。このような構成によれば、ゴルフ用ネットの横のたるみをバーが張架するため、出入口と昇降式カーテンの隙間を少なくすることができる。また、布状のカーテンに骨部を持たせることができるため、昇降式カーテンを頑丈にすることができる。また、昇降式カーテンの昇降が、バーの重みによりスムーズに行うことができる。また、バーを昇降式カーテンに組み付ける場合に、付設するための部品を用いることなく有効に行うことができる。
【００２９】
また、本発明のゴミ保管庫の好ましい実施の一形態においては、駆動手段が電動で作動し、駆動手段を電動で作動させるためのスイッチを出入口の近傍に備えるように構成されている。このような構成によれば、出入口の近傍に備わる作動スイッチを操作するだけで、昇降式カーテンの開閉を電動ですることができる。このため、ゴミ出し時にゴミを持ったまま出入口を開けることができるので便利である。
【００３０】
また、本発明のゴミ保管庫の好ましい実施の一形態においては、駆動手段を電動で作動させるためのスイッチが、ゴミ保管庫内にも備わるように構成されている。このような構成によれば、誤ってゴミ保管庫内に閉じこめられるような場合があっても、保管庫内の作動スイッチを操作することにより、昇降式カーテンを上昇させることができる。
【００３１】
また、本発明のゴミ保管庫の好ましい実施の一形態においては、駆動手段を電動で作動させるためのスイッチが、自動復帰型で、押し続けている間に限り、駆動手段を作動させるように構成されている。このような構成によれば、駆動手段の作動スイッチを操作する者が昇降式カーテンに挟み込まれるような事故の発生を未然に防止することができる。
【００３２】
また、本発明のゴミ保管庫の好ましい実施の一形態においては、駆動手段作動時にブザーが鳴動するように構成されている。このような構成によれば、カーテンの昇降に際し、周囲に注意を喚起することができる。
【００３３】
また、本発明のゴミ保管庫の好ましい実施の一形態においては、昇降式カーテンを出入口の上昇限界または下降限界で、昇降式カーテンの昇降を停止させるための昇降限界停止手段を備えるように構成されている。このような構成によれば、カーテンの昇降を上下限で確実に停止することができ、カーテンを昇降するための機器等の破損を防止することができる。
【００３４】
また、本発明のゴミ保管庫の好ましい実施の一形態においては、駆動手段とカーテンロック手段の作動を週間タイマにより制御するこように構成されている。このような構成によれば、ゴミ出し日以外の日には出入口をロックでき、ゴミ出し日を厳守することができる。
【００３５】
また、本発明のゴミ保管庫の好ましい実施の一形態においては、箱形フレームの上面にソーラパネルを備え、このソーラパネルの給電によりゴミ保管庫に備わる駆動系及び制御系の各手段を作動させるように構成されている。このような構成によれば、ゴミ保管庫に備わる駆動系及び制御系の各手段を作動するための電源が不必要になるため、ゴミ保管庫を設置するために電気工事が不要となる。また、海辺等の電気工事ができないような場所にも、本発明のゴミ保管庫は設置することができる。
【００３６】
また、本発明のゴミ保管庫の好ましい実施の一形態においては、昇降式カーテンを手動で可動することができるように構成されている。このような構成によれば、給電の停止等により駆動手段が作動しなくても、手動で作動することができる。
【００３７】
また、本発明のゴミ保管庫の好ましい実施の一形態においては、コ字型囲壁を有するゴミ置き場を改修するために設置されるように構成されている。このような構成によれば、マンション等の集合住宅にすでに設置されているコ字型囲壁を有するゴミ置き場を、本発明のゴミ保管庫に容易に改修できる。
【発明の効果】
【００３８】
以上のように、本発明のゴミ保管庫によれば、鳥獣によるゴミの散乱や不法投棄を防止でき、しかも、軽量、かつ、丈夫な出入扉を備える構造にすることができる。また、既成のコ字型囲壁を有するゴミ置き場を容易に改修できる。従って、安価、軽量、丈夫かつ安全を特徴とする好適なゴミ保管庫を実現することができる。
【発明を実施するための最良の形態】
【００３９】
以下に、この発明のゴミ保管庫の好適な実施の一形態を添付図面に従って詳細に説明する。尚、以下に説明する実施の形態は、本発明の一例を示すものに過ぎず、本発明に係るゴミ保管庫の及ぶ範囲は、特許請求の範囲の記載のみによって特定されることは言うまでもないことである。
【００４０】
本発明のゴミ保管庫の全体図を図１に示す。ゴミ保管庫１は、箱形部２と、昇降式カーテン部３と、昇降駆動部４と、制御盤５と、太陽電池モジュール６と、を有し、コ字型囲壁１８１を有するゴミ置き場１８０に設置されている。
【００４１】
箱形部２は、フレーム部２ａと仕切部２ｂとから構成される。フレーム部２ａは、ゴミ置き場１８０の４隅に立設し、人の背丈、例えば、成人男子の平均的な身長である１７０ｃｍよりも高い支柱２ｃと、支柱間の上端部に架設される長梁材２ｄ及び短梁材２ｅと、長梁材２ｄを補強するための中央支柱２ｆと、中央支柱２ｆの上端部間に架設される中央梁材２ｇとを有する。これらの支柱及び梁材は留め具２ｈにより一体に組み付けられ長方体を形成している。
【００４２】
仕切部２ｂは、フェンスネット等の網板材により構成され、フレーム部２ａによって形成される開口において、昇降式カーテン部３と昇降駆動部４が配設される出入口２ｉ及び制御盤５が配設される制御盤取り付け面２ｊ以外の各開口に留め具２ｈを介してフレーム部２ａと一体となるように組み付けられている。
【００４３】
次に、本発明のゴミ保管庫１正面の構成を図２により、詳細に説明する。ゴミ保管庫１の正面は、ゴミ置き場１８０のコ字型囲壁１８１開口面に該当し、道路等に面してゴミを出し入れできるように、出入口２ｉを備えている。
【００４４】
出入口２ｉは、一方の支柱２ｃと中央支柱２ｆと長梁材２ｄにより形成され、昇降式カーテン部３と筐体に収納された昇降駆動部４が配設されている。なお、出入口２ｉの幅Ｗは、人が一人以上通れるように形成されている。また、他方の支柱２ｃ、中央支柱２ｆ、長梁材２ｄ及び支柱２ｃと中央支柱２ｆを補強する補強材２ｋにより形成された開口は、仕切材２ｂが留め具２ｈを介して組み付けられている。
【００４５】
昇降式カーテン部３は、カーテンネット３ａと、バー３ｂａ、３ｂｂ、３ｂｃ、３ｂｄ（以下、まとめてバー３ｂと言う。）とを有する。カーテンネット３ａはゴルフ用ネット等からなり、出入口２ｉと同一幅で若干長く形成されいる。また、バー３ｂは、カーテンネット３ａの編み目よりも小さい断面の棒材で、特に強度と重量の関係からアルミ管材がより最適であり、幅Ｗより若干長く形成されている。
【００４６】
図３にカーテンネット３ａとバー３ｂの組み付け図を示す。バー３ｂは、図３に示すようにカーテンネット３ａの縦糸を交互にくぐるように組み付けられている。特に、図３に示すように、バー３ｂと縦糸の組付けを、縦糸を３本を同一面にした後、１本を反対面になる比率で交互にバー３ｂに組み付けると、カーテンネット３ａの昇降時にカーテンネット３ａのからみを効果的に抑えることができる。また、バー３ｂは、水平にカーテンネット３ａを略等分するように配置され、カーテンネット３ａの左右端にビス３ｃで止着されている。カーテンネット３ａの左右端部内側にワイヤ３ｄを備え、ワイヤ３ｄはバー３ｂに形成されている貫通孔３ｅを通って、最下部のバー３ｂａで、抜けないように留め具３ｆにより止着されている。
【００４７】
次に、図４に昇降式カーテン部３の昇降形態について示す。まず、昇降式カーテン部３の閉扉した状態を（ａ）に示す。出入口２ｉの底部に最下部バー３ｂａが接するように、ワイヤ３ｄは調整されている。ここで、他のバー３ｂｂ、３ｂｃ、３ｂｄは、カーテンネット３ａを等分するように止着されているので、出入口２ｉを等分するように並列する。このため、カーテンネット３ａは、バー２ｂにより張架されているため、出入口２ｉを撓むことなく閉扉することができる。  次に、昇降式カーテン部３を開扉している状態を（ｂ）に示す。ワイヤ３ｄを引き上げると、留め具３ｆにより止着されている最下部バー３ｂａが上昇するとともに、同時に最下部バー３ｂａ上部のカーテンネット３ａａが折り畳まれて引き上げられる。さらに、ワイヤ３ｄを引き上げると、最下部バー３ｂａ上部のカーテンネット３ａａによりバー３ｂｂが引き上げられるとともに、カーテンネット３ａｂが折り畳まれて引き上げられる。このように、最下部バー３ｂａ上のカーテンネット３ａは、折り畳まれながら上昇し、バー３ｂｂ、３ｂｃ、３ｂｄは折り畳まれたカーテンネット３ａにより引きが揚げられ、出入口２ｉは開扉される。なお、最下部バー３ｂａにラバー等の保護具（図示省略）を付設してもよい。このことにより、開扉時に、最下部バー３ｂａに頭をぶつけるようなことがあっても事故になるようなことがない。また、昇降式カーテン部３を降下させる場合にも、最下部バー３ｂａが出入口２ｉ底部に衝突することがない。また、出入口２ｉ底部と最下部バー３ｂａの隙間を保護具により塞ぐことができる。
【００４８】
次に、昇降式カーテン部３と出入口２ｉの組み付け構造を図５，６，７により説明する。図２に示す出入口２ｉ下部の支柱２ｃの断面Ａ−Ａを図５に示す。図に示すように、最下部バー３ｂａは、端部に昇降ガイドブロック５１を備え、この昇降ガイドブロック５１を挟んで支柱２ｃと補助支柱５２が立設する。なお、図２に示す出入口２ｉ下部の中央支柱２ｆの断面Ｄ−Ｄを図６に示すように、中央支柱２ｆにおいても支柱２ｃと同様に、バー３ｂａの他端部に備わる昇降ガイドブロック５１を挟んで中央支柱２ｆと補助支柱６２が立設する。最下部バー３ｂａは、これらの支柱間を昇降ガイドブロックを介して、バー３ｂａは昇降できるようになっている。
【００４９】
補助支柱５２下部には、図５に示すように、ソレノイドプランジャ５３が備えられている。また、図６に示すように、中央支柱２ｆと補助支柱６２の間に、ソレノイドプランジャ６３が備えられている。これらのソレノイドプランジャ５３、６３のピン５４、６４が突出している状態で昇降ガイドブロック５１を上昇させるとピン５４、６４が当接するため、最下部のバー３ｂａを引き上げることができない。なお、ピン５４、６４の先端は図５，６に示すように斜設されているため、ピン５４、６４が突出している状態で、上方から出入口２ｉ下部に向けて昇降ガイドブロック５１、６１を降下することはできる。
【００５０】
また、図５に示すように、支柱２ｃ下部にはリミットスイッチ５５が設けられ、昇降ガイドブロック５１が接触すると、最下部バー３ｂがそれ以上降下しないように制御される。また、図７は、出入口２ｉ上部の支柱２ｃ断面Ｇ−Ｇ（図２参照）を示す図であるが、図に示すように支柱２ｃと補助支柱５２の間には、リミットスイッチ７１が備わり、昇降ガイドブロック５１が接触すると、最下部バー３ｂがそれ以上、上昇しないようになっている。なお、最下部バー３ｂの上昇限度は、例えば成人男子の平均的身長程度以上になるように設定されている。
【００５１】
また、図８及び９に昇降ガイドブロックの実施形態について示す。図に示すように昇降ガイドブロック５１、６１は、鍔部８１、９１と、摺動部８２，９２と、ねじ穴８３、９３と、バー挿入孔８４、９４とからなる。バー挿入孔８４、９４にはバー３ｂが挿入され、止めねじ等をねじ穴８３に締め込んで昇降ガイドブロック５１、６１とバー３ｂとを固定している。鍔部８１はバー３ｂが、横方向に揺動することを防止し、摺動部８２，９２は、支柱２ｃと補助支柱５２の間または中央支柱２ｆと補助支柱６２間を昇降する。
【００５２】
昇降駆動部４は、出入口２ｉの昇降式カーテン部３上方に備わり、長梁材２ｄに固定されて、駆動手段１００を覆う筐体である。
【００５３】
駆動手段１００は、図１０に示すように、主な装置としてモータ１０１と、プーリー機構１０２と、シャフト１０３と、電磁ブレーキ１０４と、を備える。モータ１０１は、図１１に示すように短梁材２ｅ下部に設置されている。プーリー機構１０２は、モータ１０１の駆動軸１０１ａと連動するタイミングプーリー１０２ａと、シャフト１０３と連動するタイミングプーリー１０２ｂと、これらを連結するタイミングベルト１０２ｃからなり、モータ１０１の回転をシャフト１０３に伝動する。シャフト１０３は、支柱２ｃと補助支柱５２の間及び中央支柱２ｆと補助支柱６２の間で回転自在になるように、軸受１０５を介して軸受把持部材１０６により把持されている。シャフト１０３に備わるワイヤ巻き取り部１０３ａにはワイヤ３ｄが、最下部のバー３ｂがほぼ水平になるように左右の長さが調整されて巻着され、シャフト１０３の回転によりワイヤ３ｄが巻き取られるようになっている。
【００５４】
また、電磁ブレーキ１０４は、シャフト１０３と連動するとともにタイミングプーリー１０２ｂを覆うブラケット１０４ａに着設され、シャフト１０３の回転を制動する。なお、シャフト１０３の先端には四角柱状の突起１０３ｂがあり、手動開閉ハンドル１０７に備わる四角孔１０７ａと嵌合して、シャフト１０３を手動で回転することができる。故障等によりモータ１０１が駆動しない場合でも、ブレーキ解除スイッチ（図示省略）を操作することにより、電磁ブレーキ１０４とソレノイドプランジャ５３，６３を解除させ、手動開閉ハンドル１０５によりシャフト１０３を回転させることができる。
【００５５】
次に、ゴミ保管庫１の右側面図である図１２により、ゴミ保管庫１右側面の構成を説明する。図に示すように、ゴミ保管庫１右側面の下半部はゴミ置き場１８０の囲壁１８１により、仕切されている。囲壁１８１の上方近傍には支柱２ｃを補強する補強梁材１２１が留め具２ｈを介して組み付けられている。この補強梁材１２１と短梁材２ｅの中央部は、留め具２ｈを介して補強支柱１２２が架設されている。この補強支柱１２２の出入口２ｉに近傍の左開口には、制御盤５を着設するための鋼板１２３が留め具２ｈを介して支柱２ｃ、短梁材２ｅ、補強梁材１２１及び補強支柱１２２に組み付けられている。また、補強支柱１２２の右開口はフェンスネット２ｂにより、仕切されている。鋼板１２３には制御盤５と昇降駆動部４が固定されている。また、昇降駆動部４の右側面はモータ１０１やプーリー機構１０２を覆っている。この昇降駆動部４の右側面には、シャフト１０３を手動で動かすための手動開閉ハンドル１０７をシャフト１０３の突起１０３ｂに組み付けるためのふた４ａが備えられている。
【００５６】
図１３に示すように制御盤５は、出入口２ｉの近傍である左側面に昇降スイッチ収容部１３１とブザー発信源１３２を備え、右側面には外部非常停止スイッチ１３３を備える。また、背面には、内部昇降スイッチ収容部１３４と内部非常停止スイッチ１３５を備え、これらはゴミ保管庫の内部から操作できるようになっている。こららのスイッチにより、モータ１０１や電動ブレーキ１０４への通電が制御され、昇降式カーテン部３の昇降が行われる。
【００５７】
次に、ゴミ保管庫１の平面図を図１４に示す。図に示すように長梁材２ｄ、短梁材２ｅ、中間梁材２ｇ、中間梁材２ｇと短梁材２ｅを補強する補強梁材２ｌにより形成された開口に留め具２ｈによりフェンスネット２ｂが組み付けられている。フェンスネット２ｂの上部には、太陽電池モジュール６が備わっており、太陽電池モジュール６により発電された電気は制御盤５近傍に備わるバッテリー７に充電される。太陽電池モジュール６により発電された電気及びバッテリー７に充電された電気は、ゴミ保管庫１に備わる駆動系及び制御系の装置の作動に使用される。
【００５８】
次に、本発明のゴミ保管庫１に備わる駆動系及び制御系の装置の作動について説明する。まず、閉扉した昇降式カーテン部３を開扉する作動について説明する。昇降スイッチ収容部１３１に備わる上昇スイッチ（図示省略）を操作し、太陽電池モジュール６によって発電された電気又はバッテリー７に充電された電気をモータ１０１、電動ブレーキ１０４、ソレノイドプランジャ５３，６３及びブザー発信源１３２に給電する。給電されたモータ１０１は駆動軸１０１ａを回転させ、プーリー機構１０２を介してシャフト１０３に回転を伝達する。
【００５９】
給電された電動ブレーキ１０４は、ブレーキを解除し、シャフト１０３の回転を自在にする。よって、シャフト１０３は、プーリー機構１０２を介して伝達した駆動軸１０１ａの回転に連動して回転する。
【００６０】
シャフト１０３が回転するとワイヤ巻き取り部１０３ａに巻着されたワイヤ３ｄが巻き取られ、昇降式カーテン部３の最下部に備わるバー３ｂａが上昇する。最下部バー３ｂａをロックするソレノイドプランジャ５３，６３についても給電されるため、ピン５４、６４が作動し最下部バー３ｂａのロックが解除される。このため、最下部バー３ｂａは上昇でき、カーテンネット３ａが連動して上昇し、出入口２ｉが開扉する。また、ブザー発信源１３２は給電によりブザーを鳴動する。最下部バー３ｂａが上限まで上昇すると最下部バー３ｂａの端部に備わる昇降ガイドブロック５１がリミットスイッチ７１に接触する。リミットスイッチ７１は給電回路を遮断し、電動ブレーキ１０４によりシャフト１０３が制動されるため、昇降式カーテン部３の上昇は停止する。
【００６１】
次に、開扉した昇降式カーテン部３を閉扉する作動について説明する。昇降スイッチ収容部１３１に備わる降下スイッチを操作し、太陽電池モジュール６によって発電された電気又はバッテリー７に充電された電気を電動ブレーキ１０４及びブザー発信源１３２に給電する。
【００６２】
給電された電動ブレーキ１０４はブレーキを解除し、シャフト１０３の回転を自在にする。シャフト１０３に巻着しているワイヤ３ｄの作動が可能となるため、カーテンネット３ａ及びバー２ｂは自重により降下する。ワイヤ巻き取り部１０３ａに巻着されたワイヤ３ｄが解かれ、昇降式カーテン部３の最下部に備わるバー３ｂａが下降する。すると、カーテンネット３ａが連動して降下し、出入口２ｉが閉扉する。よって、モータを反転しなくても閉扉でき節電をすることができる。また、ブザー発信源１３２は給電によりブザーを鳴動する。
【００６３】
最下部バー３ｂａが下限まで下降すると最下部バー３ｂａの端部に備わる昇降ガイドブロック５１がリミットスイッチ５５に接触する。リミットスイッチ５５は給電回路を遮断し、電動ブレーキ１０４によりシャフト１０３が制動されるため、昇降式カーテン部３の降下が停止する。
【００６４】
なお、作業者が昇降式カーテン部３に挟まれることがないように、上昇または下降スイッチは自動復帰型になっていて、操作し続けないと連続して通電しない。また、ゴミ保管庫１に内部に備わる内部昇降スイッチ収容部１３４の上昇及び下降スイッチと内部非常停止スイッチ１３５を操作しても、昇降スイッチ収容部１３１の上昇及び下降スイッチと内部非常停止スイッチ１３３を操作した場合と同様の作動が行われる。また、週間タイマーを給電回路に設置し、ゴミ出し日にのみ給電されるようにして、ゴミ出し日にのみ昇降式カーテン部３が開閉するようにもできる。また、故障等何らかの理由により昇降式カーテン部３が電動で作動しない場合には、ブレーキ解除スイッチ（図示省略）を操作することにより、電動ブレーキ１０４のブレーキが解除され、ソレノイドプランジャ５３，６３のピン５４、６４が作動して最下部バー３ｂのロックも解除される。このため、シャフト１０３の回転が自在になり、手動開閉ハンドル１０５をシャフト１０３の突起１０３ｂに組み付け、手動開閉ハンドル１０５を回転することにより、昇降式カーテン部３を開扉することができる。
【００６５】
以上の動作についてのリレーによるシーケンス回路の構成を示すラダー図を図１５に示す。このシーケンス回路図は、通常のシーケンス記号を用いて表されているので当業者であれば、当然理解することができるであろう。
【００６６】
以上、本発明のゴミ保管庫について、好ましい実施形態を示して説明したが、本発明に係るゴミ保管庫は、上述した実施形態にのみ限定されるものではなく、本発明の範囲で種々の変更実施が可能であることは言うまでもない。
【産業上の利用可能性】
【００６７】
以上詳細に説明したように、本発明のゴミ保管庫は、カラス等の鳥獣によるゴミの散乱や不法投棄を有効に防止し、しかも、出入扉を軽量、かつ、丈夫にすることができ、特に既成のコ字型囲壁を有するゴミ置き場を容易に改修できるゴミ保管庫として好適に利用できる。
【図面の簡単な説明】
【００６８】
【図１】本発明ゴミ保管庫の全体を示す斜視図である。
【図２】本発明ゴミ保管庫の正面図である。
【図３】本発明ゴミ保管庫に備わるカーテンネットとバーの組み付けを示す概略図である。
【図４】本発明ゴミ保管庫の昇降式カーテン部の昇降形態を示す概略図である。
【図５】本発明ゴミ保管庫の出入口下部の支柱の断面図である。
【図６】本発明ゴミ保管庫の出入口下部の中央支柱の断面図である。
【図７】本発明ゴミ保管庫の出入口上部の支柱の断面図である。
【図８】本発明ゴミ保管庫に備わる昇降ガイドブロックの一実施形態を示す図である。
【図９】本発明ゴミ保管庫に備わる昇降ガイドブロックの他の実施形態を示す図である。
【図１０】本発明ゴミ保管庫に備わる駆動手段の断面図である。
【図１１】本発明ゴミ保管庫に備わる駆動手段の右側面図である。
【図１２】本発明ゴミ保管庫の右側面図である。
【図１３】本発明ゴミ保管庫に備わる制御盤の外観図である。
【図１４】本発明ゴミ保管庫の平面図である。
【図１５】本発明ゴミ保管庫のリレーによるシーケンス回路の構成を示すラダー図である。
【図１６】従来のごみ集積用囲体の実施例を示す斜視図である。
【図１７】従来のごみ集積用囲体の実施例の出入扉を開放した状態を示す斜視図である。
【図１８】従来のコ字型囲壁を有するゴミ置き場を示す概略図である。
【符号の説明】
【００６９】
１  ゴミ保管庫
２  箱形部
２ａ  フレーム部
２ｂ  仕切部
２ｃ  支柱
２ｄ  長梁材
２ｅ  短梁材
２ｆ  中央支柱
２ｇ  中央梁材
２ｈ  留め具
２ｉ  出入口
２ｊ  制御盤取り付け面
３  昇降式カーテン部
３ａ  カーテンネット
３ｂ，３ｂａ，３ｂｂ，３ｂｃ，３ｂｄ  バー
３ｃ  ビス
３ｄ  ワイヤ
３ｆ  留め具
４  昇降駆動部
４ａ  ふた
５  制御盤
６  太陽電池モジュール
５１，６１  昇降ガイドブロック
５２，６２  補助支柱
５３，６３  ソレノイドプランジャ
５４，６４  ピン
５５，７１  リミットスイッチ
８１，９１  鍔部
８２，９２  摺動部
８３，９３  ねじ穴
８４，９４  バー挿入孔
１００  駆動手段
１０１  モータ
１０１ａ  駆動軸
１０２  プーリー機構
１０２ａ，１０２ｂ  タイミングプーリー
１０２ｃ  タイミングベルト
１０３  シャフト
１０３ａ  ワイヤ巻き取り部
１０３ｂ  突起
１０４  電磁ブレーキ
１０４ａ  ブラケット
１０５  軸受
１０６  軸受把持部材
１０７  手動開閉ハンドル
１０７ａ  四角孔
１２１  補強梁材
１２２  補強支柱
１２３  鋼板
１３１  昇降スイッチ収容部
１３２  ブザー発信源
１３３  外部非常停止スイッチ
１３４  内部昇降スイッチ収容部
１３５  内部非常停止スイッチ
１６１  ごみ集積用囲体
１６２  囲い本体
１６３  出入扉
１６４  天板
１６５  太陽電池
１６６  取手
１６７  施錠規制ボックス
１７１  集積された各種のごみ
１７２  出入口
１７３  掛合枠
１８０  ゴミ置き場
１８１  コ字型囲壁
【図１】
2006103925.tif 000003
【図２】
2006103925.tif 000004
【図３】
2006103925.tif 000005
【図４】
2006103925.tif 000006
【図５】
2006103925.tif 000007
【図６】
2006103925.tif 000008
【図７】
2006103925.tif 000009
【図８】
2006103925.tif 000010
【図９】
2006103925.tif 000011
【図１０】
2006103925.tif 000012
【図１１】
2006103925.tif 000013
【図１２】
2006103925.tif 000014
【図１３】
2006103925.tif 000015
【図１４】
2006103925.tif 000016
【図１５】
2006103925.tif 000017
【図１６】
2006103925.tif 000018
【図１７】
2006103925.tif 000019
【図１８】
2006103925.tif 000020